(57)【要約】  制御装置（１）において、画像取得部（１０２）は、空調機の空調対象エリアを撮像した画像を取得する。生体反応検出部（１０３）は、画像取得部（１０２）により取得された画像から空調対象エリアに居るユーザの特定の生体反応を検出する。体感判別部（１０４）は、生体反応検出部（１０３）により検出された生体反応から空調対象エリアの温熱環境に対するユーザの体感を判別する。動作制御部（１０６）は、体感判別部（１０４）により判別されたユーザの体感に基づいて空調機の動作を制御する。
2018138804.tif 000002
【特許請求の範囲】
【請求項１】
空調機と通信する通信手段と、
前記空調機の空調対象エリアを撮像した画像を取得する画像取得手段と、
前記画像から前記空調対象エリアに居るユーザの特定の生体反応を検出する生体反応検出手段と、
前記生体反応から前記空調対象エリアの温熱環境に対する前記ユーザの体感を判別する体感判別手段と、
前記ユーザの体感に基づいて前記空調機の動作を制御する動作制御手段と、を備える、制御装置。
【請求項２】
前記生体反応検出手段は、前記ユーザの発汗量と、前記ユーザに生じた鳥肌の面積と、前記ユーザの身体の特定部位における表面の色相のうちの少なくとも何れかを検出する、請求項１に記載の制御装置。
【請求項３】
前記生体反応検出手段は、前記画像からユーザの特定をさらに行う、請求項１又は２に記載の制御装置。
【請求項４】
ユーザ別に前記特定の生体反応の傾向を学習する学習手段をさらに備え、
前記体感判別手段は、前記ユーザに対応する前記特定の生体反応の傾向も加味して、前記ユーザの体感を判別する、請求項３に記載の制御装置。
【請求項５】
空調対象エリアを撮像するカメラと、
前記カメラにより撮像された画像から前記空調対象エリアに居るユーザの特定の生体反応を検出する生体反応検出手段と、
前記生体反応から前記空調対象エリアの温熱環境に対する前記ユーザの体感を判別する体感判別手段と、
前記ユーザの体感に基づいて前記空調対象エリアの空調を行う空調手段と、を備える、空調機。
【請求項６】
空調対象エリアを撮像するカメラと、
請求項１から４の何れか１項に記載の制御装置と、を備える、空調システム。
【請求項７】
空調機の空調対象エリアを撮像した画像を取得し、
前記画像から前記空調対象エリアに居るユーザの特定の生体反応を検出し、
前記生体反応から前記空調対象エリアの温熱環境に対する前記ユーザの体感を判別し、
前記ユーザの体感に基づいて前記空調機の動作を制御する、空調制御方法。
【発明の詳細な説明】
【技術分野】
【０００１】
本発明は、建物の空調を行う技術に関する。
【背景技術】
【０００２】
一般に、空調機は、室内の温度、湿度、気流等の環境的要因を調整して、在室者の快適性を維持する。しかし、室内の温熱環境に対する感覚は、個々人で様々であるため、環境的要因のみに依拠した空調では、適切に在室者の快適性を維持するのは困難である。【０００３】
これに対し、室内を撮像した画像から在室者の特定の動作を検出し、検出した動作から、「暑い」、「寒い」等の在室者の体感を判別して空調を行う技術（例えば、特許文献１，２）が提案されている。【０００４】
また、特許文献２では、室内を撮像した画像から着衣量の変化を検出し、検出した着衣量の変化から在室者の体感を判別して空調を行うことも記載されている。
【先行技術文献】
【特許文献】
【０００５】
【特許文献１】特開２００８−５１４６３号公報
【特許文献２】特開平１０−２５９９４２号公報
【発明の概要】
【発明が解決しようとする課題】
【０００６】
しかしながら、在室者が、室内の温熱環境に対して、快適でない（即ち、不快）であると感じていても、想定される動作あるいは着衣の脱着を必ずしも行うとは限らず、そのような場合は、在室者の体感を空調に反映することができないという課題がある。【０００７】
本発明は、上記課題を解決するためになされたものであり、空調に反映するための在室者の体感を高い確度で判別することができる制御装置等を提供することを目的とする。
【課題を解決するための手段】
【０００８】
上記目的を達成するため、本発明に係る制御装置は、
空調機と通信する通信手段と、
前記空調機の空調対象エリアを撮像した画像を取得する画像取得手段と、
前記画像から前記空調対象エリアに居るユーザの特定の生体反応を検出する生体反応検出手段と、
前記生体反応から前記空調対象エリアの温熱環境に対する前記ユーザの体感を判別する体感判別手段と、
前記ユーザの体感に基づいて前記空調機の動作を制御する動作制御手段と、を備える。
【発明の効果】
【０００９】
本発明によれば、空調対象エリアの温熱環境に対するユーザの体感を高い確度で判別することが可能となる。
【図面の簡単な説明】
【００１０】
【図１】本発明の実施形態に係る空調システムの全体構成を示す図
【図２】本実施形態の空調システムが備える室内機の構造を説明するための図
【図３】本実施形態の室内機の風向指定について説明するための図
【図４】本実施形態の空調システムが備える制御装置の構成を示すブロック図
【図５】本実施形態の制御装置が備える二次記憶装置について説明するための図
【図６】本実施形態の体感変換テーブルについて説明するための図
【図７】本実施形態の体感変換テーブルについて説明するための図
【図８】本実施形態の体感変換テーブルについて説明するための図
【図９】本実施形態の体感変換テーブルについて説明するための図
【図１０】本実施形態の調整情報変換テーブルについて説明するための図
【図１１】本実施形態の調整情報変換テーブルについて説明するための図
【図１２】本実施形態に係る制御装置の機能構成を示すブロック図
【図１３】本実施形態における空調制御処理の手順を示すフローチャート
【発明を実施するための形態】
【００１１】
以下、本発明の実施形態について図面を参照して詳細に説明する。
【００１２】
図１は、本発明の実施形態に係る空調システムの全体構成を示す図である。空調システムは、例えば、オフィスビル等の建物の空調を行うシステムであり、図１に示すように、制御装置１と、空調機２と、カメラ３を備える。
【００１３】
制御装置１と空調機２は、通信線４を介して相互に通信可能となるように接続されている。また、制御装置１とカメラ３は、通信線５を介して相互に通信可能となるように接続されている。
【００１４】
空調機２は、室外機２０と室内機２１を備える。室外機２０と室内機２１は、上記の通信線４を介して相互に通信可能である。また、室外機２０と室内機２１は、図示はしないが、冷媒を循環させるための冷媒配管により接続されている。
【００１５】
室内機２１は、制御装置１からの制御情報に従って、設置された空調対象エリア（本実施形態では、部屋Ａ）の空調を行う。室内機２１は、図２に示すように、部屋Ａの天井に埋設される直方体状の本体部２１０の下側（即ち、室内側）に正方形状の前面パネル２１１が取り付けられた構成となっている。前面パネル２１１には、その周縁部に４つの吹出口２１２が設けられている。室内機２１は、制御装置１により指定された１又は複数の吹出口２１２から空気を吹き出すことができる。さらに、室内機２１は、吹出口２１２毎に設けられた図示しない風向調整板により、吹出口２１２毎に制御装置１により指定された風向（例えば、水平方向、斜め下方向、下方向）で空気を吹き出すことができる（図３参照）。
【００１６】
また、室内機２１は、図示しない空調リモコンと通信可能に接続する。空調リモコンは、部屋Ａの入口付近の壁に埋設して設置されたり、あるいは壁に掛けられた態様で設置される。空調リモコンは、部屋Ａを利用するユーザからの入力操作を受け付け、受け付けた入力操作に係る制御情報を室内機２１に送信する。ユーザは、このように、空調リモコンを介して所望の空調を室内機２１に実行させることもできる。この場合、室内機２１は、空調リモコンからの制御情報を制御装置１に転送する。これにより、制御装置１は、空調リモコンを介したユーザの操作内容を取得することができる。
【００１７】
室内機２１は、制御装置１又は空調リモコンからの制御情報を受信すると、当該制御情報に従った自機の運転情報を制御装置１及び室外機２０に送信する。運転情報には、運転中又は停止中を示す情報、サーモオン又はサーモオフを示す情報、冷房、暖房、送風などの運転モードを示す情報、目標温度、目標湿度などの目標値を示す情報などが含まれている。室外機２０は、室内機２１からの運転情報を受信すると、当該運転情報で示される運転を室内機２１が行えるように、自機を構成する各部（圧縮器、凝縮器、膨張弁、蒸発器等）を動作させる。
【００１８】
また、室内機２１は、何れも図示しないが、部屋Ａの空気温度を検出する温度センサと、部屋Ａの湿度を検出する湿度センサを備える。室内機２１は、温度センサ及び湿度センサにより検出された空気温度及び湿度が含まれた情報（以降、環境情報という。）を一定時間間隔（本実施形態では、１分間隔）で室外機２０及び制御装置１に送信する。室外機２０は、室内機２１からの環境情報に基づき上記の各部の動作を調整する。
【００１９】
なお、室内機２１は、壁掛けタイプの室内機であってもよい。
【００２０】
カメラ３は、ＣＣＤ（Charge-Coupled Device）、ＣＭＯＳ（Complementary Metal Oxide Semiconductor）等のイメージセンサを備える。カメラ３は、空調機２の空調対象エリア、即ち、部屋Ａ内の空間を撮像可能な場所に設置される。カメラ３は、一定時間間隔（本実施形態では、１分間隔）で撮像を行い、撮像した画像データが格納された情報（以降、画像情報と称する。）を制御装置１に送信する。
【００２１】
制御装置１は、当該建物内の管理室等、関係者以外が立ち入ることのできない場所に設置される。制御装置１は、図４に示すように、表示部１０と、操作受付部１１と、通信インタフェース１２と、プロセッサ１３と、ＲＯＭ（Read Only Memory）１４と、ＲＡＭ（Random Access Memory）１５と、二次記憶装置１６を備える。これらの構成部は、バス１７を介して相互に接続される。
【００２２】
表示部１０は、有機ＥＬディスプレイ、液晶ディスプレイ等の表示デバイスで構成され、プロセッサ１３の制御の下、部屋Ａの空調を管理するための各種の情報を表示する。操作受付部１１は、押しボタン、タッチパネル、タッチパッド等の入力デバイスで構成され、当該ビルの管理者等の特定のユーザからの操作を受け付け、受け付けた操作に係る信号をプロセッサ１３に送出する。
【００２３】
通信インタフェース１２は、本発明の通信手段に相当する。通信インタフェース１２は、通信線４を介して空調機２と通信するためのインタフェースと、通信線５を介してカメラ３と通信するためのインタフェースを備える。なお、制御装置１と空調機２との間の通信が予め定めた無線通信方式にて行われるようにしてもよい。同様に、制御装置１とカメラ３との間の通信が予め定めた無線通信方式にて行われるようにしてもよい。
【００２４】
プロセッサ１３は、この制御装置１を統括的に制御する。プロセッサ１３によって実現される機能の詳細については後述する。
【００２５】
ＲＯＭ１４は、複数のファームウェアとこれらのファームウェアの実行時に使用されるデータを記憶する。ＲＡＭ１５は、プロセッサ１３の作業領域として使用される。
【００２６】
二次記憶装置１６は、ＥＥＰＲＯＭ（Electrically Erasable Programmable Read-Only Memory）、フラッシュメモリ等の読み書き可能な不揮発性の半導体メモリ、ＨＤＤ（Hard Disk Drive）等を含んで構成される。二次記憶装置１６は、図５に示すように、空調制御プログラム１６０と、環境情報テーブル１６１と、運転情報テーブル１６２と、生体反応ＤＢ１６３と、体感変換テーブル１６４と、調整情報変換テーブル１６５を記憶する。
【００２７】
空調制御プログラム１６０は、プロセッサ１３によって実行されるコンピュータプログラムである。空調制御プログラム１６０には、部屋Ａの温熱環境を、部屋Ａに居るユーザ（即ち、在室者）が快適であるように調整するための処理が記述されている。
【００２８】
環境情報テーブル１６１は、室内機２１から、上述したように一定時間間隔で送られてくる環境情報を保存するためのデータテーブルである。運転情報テーブル１６２は、室内機２１から、上述したように送られてきた運転情報を保存するためのデータテーブルである。
【００２９】
生体反応ＤＢ１６３は、プロセッサ１３により検出された在室者の生体反応の履歴を保存するためのデータベースである。本実施形態では、プロセッサ１３は、１分毎に、在室者の汗量、鳥肌面積、顔の色相、唇の色相を検出し、検出した時刻と共に、これらの検出結果を生体反応ＤＢ１６３に保存する。ここでの顔の色相とは、顔の皮膚の色相を指し、目、口、毛髪、髭、眉毛の色相は除かれる。
【００３０】
また、ここでの汗量とは、在室者の体表面（例えば、顔、首、腕の表面）における単位面積当りの面に生じている汗の質量をいう。汗量の単位は、“ｍｇ／ｃｍ２”である。また、ここでの鳥肌面積とは、在室者の身体の特定部位（例えば、顔、首、腕）に生じた鳥肌の面積の総計をいう。本実施形態では、鳥肌面積の単位は、“ｃｍ２”である。
【００３１】
体感変換テーブル１６４は、プロセッサ１３によって検出された在室者の生体反応を、在室者の体感に変換するためのデータテーブルである。体感変換テーブル１６４は、生体反応の種別毎に用意されている。本実施形態では、発汗量、鳥肌面積、顔の色相、唇の色相のそれぞれに対応した体感変換テーブル１６４が二次記憶装置１６に記憶されている。
【００３２】
図６に、発汗量用の体感変換テーブル１６４の一例を示す。なお、ここでの発汗量とは、１分当りに発生した汗量をいう。図６の例において、Ｓ１〜Ｓ３は、発汗量の閾値を示し、Ｓ１＞０であり、Ｓ１＜Ｓ２＜Ｓ３の関係を有し、何れも単位は、“ｍｇ／ｃｍ２”である。
【００３３】
図６の体感変換テーブル１６４では、発汗量がＳ１未満という生体反応に対して、“蒸し暑くない”という体感が対応付けられており、発汗量がＳ１以上且つＳ２未満という生体反応に対して、“蒸し暑さ小”という体感が対応付けられていることが判る。
【００３４】
また、発汗量がＳ２以上且つＳ３未満という生体反応に対して、“蒸し暑さ中”という体感が対応付けられており、発汗量がＳ３以上という生体反応に対して、“蒸し暑さ大”という体感が対応付けられている。“蒸し暑さ小”とは、蒸し暑さを感じるものの、その程度は低いことを示す。一方、“蒸し暑さ大”とは、蒸し暑さを感じる程度が高いことを示し、“蒸し暑さ中”とは、“蒸し暑さ小”より蒸し暑さを感じる程度が高く且つ“蒸し暑さ大”よりは蒸し暑さを感じる程度が低いことを示す。
【００３５】
図７に、鳥肌面積用の体感変換テーブル１６４の一例を示す。図７の例において、Ｇ１〜Ｇ３は、鳥肌面積の閾値を示し、Ｇ１＞０であり、Ｇ１＜Ｇ２＜Ｇ３の関係を有し、何れも単位は、“ｃｍ２”である。
【００３６】
図７の体感変換テーブル１６４では、鳥肌面積がＧ１未満という生体反応に対して、“寒くない”という体感が対応付けられており、鳥肌面積がＧ１以上且つＧ２未満という生体反応に対して、“寒さ小”という体感が対応付けられていることが判る。
【００３７】
また、鳥肌面積がＧ２以上且つＧ３未満という生体反応に対して、“寒さ中”という体感が対応付けられており、鳥肌面積がＧ３以上という生体反応に対して、“寒さ大”という体感が対応付けられている。“寒さ小”とは、寒さを感じるものの、その程度は低いことを示す。一方、“寒さ大”とは、寒さを感じる程度が高いことを示し、“寒さ中”とは、“寒さ小”より寒さを感じる程度が高く且つ“寒さ大”よりは寒さを感じる程度が低いことを示す。
【００３８】
図８及び図９に、顔の色相用及び唇の色相用の体感変換テーブル１６４の一例をそれぞれ示す。図８の例では、顔の色相が赤及びピンクの何れでもないという生体反応に対して“暑くない”という体感が対応付けられており、顔の色相がピンクという生体反応に対して“暑さ中”という体感が対応付けられており、顔の色相が赤という生体反応に対して“暑さ大”という体感が対応付けられている。“暑さ大”とは、暑さを感じる程度が高いことを示し、“暑さ中”とは、暑さを感じるものの、“暑さ大”よりは暑さを感じる程度が低いことを示す。
【００３９】
図９の例では、唇の色相が紫以外という生体反応に対して“寒くない”という体感が対応付けられており、唇の色相が紫という生体反応に対して“寒さ大”という体感が対応付けられている。図９の例における“寒さ大”の意味は、図７の例における“寒さ大”と同じである。
【００４０】
図５に戻り、調整情報変換テーブル１６５は、プロセッサ１３によって判別された在室者の体感を、温熱環境を調整するための情報に変換するためのデータテーブルである。調整情報変換テーブル１６５は、体感の種別毎に用意されている。本実施形態では、蒸し暑さと寒暑のそれぞれに対応した調整情報変換テーブル１６５が二次記憶装置１６に記憶されている。
【００４１】
図１０に、蒸し暑さ用の調整情報変換テーブル１６５の一例を示す。図１０の例において、Ｈ１〜Ｈ３は、Ｈ１＞０、Ｈ１＜Ｈ２＜Ｈ３の関係を有する。
【００４２】
図１０の調整情報変換テーブル１６５では、“蒸し暑くない”という体感に対して、湿度の調整を行わないという調整情報が対応付けられており、“蒸し暑さ小”という体感に対して、湿度をＨ１％下げるという調整情報が対応付けられている。そして、“蒸し暑さ中”という体感に対して、湿度をＨ２％下げるという調整情報が対応付けられており、“蒸し暑さ大”という体感に対して、湿度をＨ３％下げるという調整情報が対応付けられている。
【００４３】
図１１に、寒暑用の調整情報変換テーブル１６５の一例を示す。図１１の例において、Ｔ１〜Ｔ３は、Ｔ１＞０、Ｔ１＜Ｔ２＜Ｔ３の関係を有する。
【００４４】
図１１の調整情報変換テーブル１６５では、“暑くないｏｒ寒くない”という体感に対して、温度の調整を行わないという調整情報が対応付けられており、“寒さ小”という体感に対して温度をＴ１℃上げるという調整情報が対応付けられている。また、“寒さ中”という体感に対して、温度をＴ２℃上げ、“暑さ中”という体感に対して温度をＴ２℃下げるという調整情報が対応付けられている。そして、“寒さ大”という体感に対して、温度をＴ３℃上げ、“暑さ大”という体感に対して温度をＴ３℃下げるという調整情報が対応付けられている。
【００４５】
図１２は、制御装置１の機能構成を示すブロック図である。制御装置１は、機能的には、環境情報取得部１００と、運転情報取得部１０１と、画像取得部１０２と、生体反応検出部１０３と、体感判別部１０４と、調整情報取得部１０５と、動作制御部１０６を備える。これらの各機能部は、プロセッサ１３が二次記憶装置１６に記憶されている空調制御ログラム１６０を実行することで実現される。
【００４６】
環境情報取得部１００は、室内機２１から一定時間間隔（本実施形態では、１分間隔）で送られてくる環境情報を受信して取得し、環境情報テーブル１６１に保存する。上述したように、この環境情報には、室内機２１の温度センサ及び湿度センサにより検出された空気温度及び湿度、即ち、部屋Ａの空気温度及び湿度が含まれている。
【００４７】
運転情報取得部１０１は、動作状態の変更時に室内機２１から送られてくる運転情報を受信して取得し、運転情報テーブル１６２に保存する。
【００４８】
画像取得部１０２は、本発明の画像取得手段に対応する。画像取得部１０２は、カメラ３から一定時間間隔（本実施形態では、１分間隔）で送られてくる画像情報を受信して取得する。画像取得部１０２は、取得した画像情報を生体反応検出部１０３に供給する。
【００４９】
生体反応検出部１０３は、本発明の生体反応検出手段に対応する。生体反応検出部１０３は、画像取得部１０２から供給された画像情報に含まれる画像データを周知の画像認識手法にて解析し、在室者の生体反応、即ち、汗量、鳥肌面積、顔の色相、唇の色相を検出する。なお、汗量には、在室者の露出した体表面に生じた汗量のみならず、衣類の変色から導出した汗量も含めるようにしてもよい。
【００５０】
生体反応検出部１０３は、検出したこれらの生体反応を検出した時刻と対応付けて生体反応ＤＢ１６３に保存する。なお、画像データから、在室者の顔又は他の体表面が検出できず、何れかの生体反応の検出が不可能である場合、生体反応検出部１０３は、当該生体反応について、未検出を示すデータを生体反応ＤＢ１６３に保存する。
【００５１】
例えば、汗量及び鳥肌面積については、検出が不可能である場合、生体反応検出部１０３は、それぞれ、０（ｍｇ／ｃｍ２）及び０（ｃｍ２）を生体反応ＤＢ１６３に保存する。また、生体反応検出部１０３は、顔の色相の検出が不可能である場合、赤、ピンク以外の予め定めた色相を生体反応ＤＢ１６３に保存し、唇の色相の検出が不可能である場合、紫以外の予め定めた色相を生体反応ＤＢ１６３に保存する。
【００５２】
体感判別部１０４は、本発明の体感判別手段に対応する。体感判別部１０４は、在室者の温熱環境に対する現在の体感を判別する。詳細には、体感判別部１０４は、在室者の発汗量、鳥肌面積、顔の色相、唇の色相のそれぞれに対応する体感を体感変換テーブル１６４を参照して判別する。例えば、体感判別部１０４は、図６に示す発汗量用の体感変換テーブル１６４を参照して、在室者の発汗量に対応する体感を判別する。ここで、発汗量は、生体反応検出部１０３により検出された在室者の現在の汗量から、生体反応ＤＢ１６３に保存されている１分前の在室者の汗量を差し引くことで算出される。
【００５３】
また、体感判別部１０４は、図７に示す鳥肌面積用の体感変換テーブル１６４を参照して、在室者の鳥肌面積に対応する体感を判別する。また、体感判別部１０４は、図８に示す顔の色相用の体感変換テーブル１６４を参照して、在室者の顔の色相に対応する体感を判別し、図９に示す唇の色相用の体感変換テーブル１６４を参照して、在室者の唇の色相に対応する体感を判別する。
【００５４】
体感判別部１０４は、上記のようにして判別した結果を調整情報取得部１０５に通知する。詳細には、体感判別部１０４は、発汗量に対応する体感を、蒸し暑さに対応した体感として調整情報取得部１０５に通知する。また、体感判別部１０４は、鳥肌面積、顔の色相、唇の色相に対応する各体感から選択した１つの体感を、寒暑に対応した体感として調整情報取得部１０５に通知する。
【００５５】
具体的には、体感判別部１０４は、鳥肌面積、顔の色相、唇の色相に対応する各体感のうち、最も体感の程度が高いものを選択する。例えば、鳥肌面積に対応する体感が“寒さ小”であり、顔の色相に対応する体感が“暑くない”であり、唇の色相に対応した体感が“寒さ大”である場合、体感判別部１０４は、“寒さ大”を寒暑に対応した体感として選択し、調整情報取得部１０５に通知する。
【００５６】
なお、鳥肌面積に対応する体感が“寒くない”であり、顔の色相に対応する体感が“暑くない”であり、唇の色相に対応した体感が“寒くない”である場合、体感判別部１０４は、“寒くないｏｒ暑くない”を寒暑に対応した体感として調整情報取得部１０５に通知する。
【００５７】
調整情報取得部１０５は、調整情報変換テーブル１６５を参照して体感判別部１０４により判別された在室者の体感に応じた調整情報を取得する。具体的には、調整情報取得部１０５は、図１０に示す蒸し暑さ用の調整情報変換テーブル１６５を参照して、在室者の蒸し暑さに対応した体感に応じた調整情報、即ち、蒸し暑さ用の調整情報を取得する。例えば、在室者の蒸し暑さに対応した体感が“蒸し暑さ中”の場合、調整情報取得部１０５は、湿度をＨ２％下げるという蒸し暑さ用の調整情報を取得する。
【００５８】
また、調整情報取得部１０５は、図１１に示す寒暑用の調整情報変換テーブル１６５を参照して、在室者の寒暑に対応した体感に応じた調整情報、即ち、寒暑用の調整情報を取得する。例えば、在室者の寒暑に対応した体感が“寒さ大”の場合、調整情報取得部１０５は、温度をＴ３℃上げるという寒暑用の調整情報を取得する。
【００５９】
動作制御部１０６は、本発明の動作制御手段に対応する。動作制御部１０６は、調整情報取得部１０５により取得された寒暑用及び蒸し暑さ用の調整情報と、環境情報テーブル１６１に保存されてる環境情報と、運転情報テーブル１６２に保存されている運転情報とに基づいて、空調機２の動作を制御する。具体的には、現在の部屋Ａの温熱環境（空気温度、湿度）を、寒暑用及び蒸し暑さ用の調整情報に従って調整するための制御情報を生成し、室内機２１に送信する。なお、寒暑用及び蒸し暑さ用の調整情報の何れも“調整なし”の場合、部屋Ａにおける現在の温熱環境を調整する必要がないため、動作制御部１０６は、制御情報を生成しない。
【００６０】
図１３は、制御装置１によって実行される空調制御処理の手順を示すフローチャートである。この空調制御処理は、予め定めた時間間隔（本実施形態では、１分間隔）で実行される。
【００６１】
画像取得部１０２は、部屋Ａの空間を撮像した画像データが含まれる画像情報をカメラ３から取得する（ステップＳ１０１）。
【００６２】
生体反応検出部１０３は、画像情報に含まれる画像データを解析して、在室者の生体反応を検出する（ステップＳ１０２）。体感判別部１０４は、在室者の生体反応から、在室者の温熱環境に対する現在の体感を判別する（ステップＳ１０３）。
【００６３】
調整情報取得部１０５は、在室者の体感に応じた調整情報を取得する（ステップＳ１０４）。動作制御部１０６は、取得された調整情報から、部屋Ａにおける現在の温熱環境の調整が必要か否かを判別する（ステップＳ１０５）。
【００６４】
現在の温熱環境の調整が必要でない場合（ステップＳ１０５；ＮＯ）、制御装置１は、本周期での空調制御処理を終了する。一方、現在の温熱環境の調整が必要である場合（ステップＳ１０５；ＹＥＳ）、動作制御部１０６は、温熱環境を調整するための制御情報を生成し（ステップＳ１０６）、室内機２１に送信する（ステップＳ１０７）。
【００６５】
以上説明したように、本発明の実施形態に係る空調システムでは、空調対象エリアを撮像した画像から在室者の生体反応を検出し、検出した生体反応から、当該空調対象エリアの温熱環境に対する在室者の体感を判別する。このため、在室者の体感の判別確度が高まり、結果として、当該空調対象エリアの温熱環境に対する在室者の快適性を適切に維持することが可能となる。
【００６６】
なお、本発明は、上記の実施形態に限定されず、本発明の要旨を逸脱しない範囲での種々の変更は勿論可能である。
【００６７】
例えば、在室者を特定し、特定した在室者の特性を加味した空調を行うようにしてもよい。この場合の空調システムでは、個人認証を行う構成部（個人認証部）が新たに追加されている。例えば、部屋Ａに指紋認証装置を設置し、入室する際、ユーザの指紋により在室者を特定するようにしてもよいし、部屋Ａに設置したＩＤ（identification）カードリーダによりユーザが所持するＩＤカードを読み取ることで在室者を特定してもよい。
【００６８】
あるいは、生体反応検出部１０３に、個人認証を行う機能を追加してもよい。この場合、生体反応検出部１０３は、予め登録されたユーザ毎の身体的特徴を示す画像（例えば、顔画像）に基づいて、在室者を特定する。生体反応検出部１０３は、検出した生体反応を、特定した在室者を識別する情報と対応付けて生体反応ＤＢ１６３に保存する。
【００６９】
さらに、制御装置１は、個人別の生体反応と、環境情報とから、個人別に生体反応の傾向を学習する学習部をさらに備える。生体反応検出部１０３又は体感判別部１０４は、このように学習して得られた個人別の生体反応の傾向を加味して、当該在室者の生体反応を検出し、又は、体感を判別する。
【００７０】
また、制御装置１が制御する室内機は１台のみに限らず、空調対象エリアに設置した複数台の室内機が制御装置１によって制御される構成にしてもよい。
【００７１】
また、上記実施形態における制御装置１と、空調機２と、カメラ３とを統合した構成を本発明に係る空調機としてもよい。
【００７２】
また、制御装置１は、温熱環境の調整として、温度、湿度のみならず、室内機２１が吹き出す空気の風量、風速を調整してもよい。
【００７３】
また、制御装置１は、室内機２１の風向を調整することで、画像から検出した在室者の位置に対応して空気を吹き出すようにしてもよい。
【００７４】
また、在室者が複数で、体感の程度にばらつきがある場合、制御装置１は、最も体感の程度が高い人を優先した空調を行うようにしてもよいし、在室者の平均の体感で空調を行うようにしてもよい。
【００７５】
また、本発明の空調システムは、ビルの空調のみならず、一般家庭における部屋の空調にも適用され得る。
【００７６】
上記の実施形態では、プロセッサ１３によって二次記憶装置１６に記憶されている空調制御プログラム１６０が実行されることで、制御装置１の各機能部（図１２参照）が実現された。しかし、制御装置１の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【００７７】
上記の実施形態において、空調制御プログラム１６０は、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した空調制御プログラム１６０を特定の又は汎用のコンピュータにインストールすることによって、当該コンピュータを上記の実施形態における制御装置１として機能させることも可能である。
【００７８】
また、空調制御プログラム１６０をインターネット上のサーバが有するディスク装置等に格納しておき、当該サーバからコンピュータに空調制御プログラム１６０がダウンロードされるようにしてもよい。
【００７９】
本発明は、広義の精神と範囲を逸脱することなく、様々な実施形態及び変形が可能である。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【００８０】
本発明は、建物の空調を行う空調システムに好適に採用され得る。
【符号の説明】
【００８１】
１  制御装置、２  空調機、３  カメラ、４，５  通信線、１０  表示部、１１  操作受付部、１２  通信インタフェース、１３  プロセッサ、１４  ＲＯＭ、１５  ＲＡＭ、１６  二次記憶装置、１７  バス、２０  室外機、２１  室内機、１００  環境情報取得部、１０１  運転情報取得部、１０２  画像取得部、１０３  生体反応検出部、１０４  体感判別部、１０５  調整情報取得部、１０６  動作制御部、１６０  空調制御プログラム、１６１  環境情報テーブル、１６２  運転情報テーブル、１６３  生体反応ＤＢ、１６４  体感変換テーブル、１６５  調整情報変換テーブル、２１０  本体部、２１１  前面パネル、２１２  吹出口
【図１】
2018138804.tif 000003
【図２】
2018138804.tif 000004
【図３】
2018138804.tif 000005
【図４】
2018138804.tif 000006
【図５】
2018138804.tif 000007
【図６】
2018138804.tif 000008
【図７】
2018138804.tif 000009
【図８】
2018138804.tif 000010
【図９】
2018138804.tif 000011
【図１０】
2018138804.tif 000012
【図１１】
2018138804.tif 000013
【図１２】
2018138804.tif 000014
【図１３】
2018138804.tif 000015
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
空調機と通信する通信手段と、
前記空調機の空調対象エリアを撮像した画像を取得する画像取得手段と、
前記画像から前記空調対象エリアに居るユーザを特定し、前記ユーザの特定の生体反応を検出する生体反応検出手段と、
ユーザ別に前記特定の生体反応の傾向を学習する学習手段と、
検出された前記生体反応と、前記ユーザに対応する前記特定の生体反応の傾向とから前記空調対象エリアの温熱環境に対する前記ユーザの体感を判別する体感判別手段と、
前記ユーザの体感に基づいて前記空調機の動作を制御する動作制御手段と、を備える、制御装置。
【請求項２】
前記生体反応検出手段は、前記ユーザの発汗量と、前記ユーザに生じた鳥肌の面積と、前記ユーザの身体の特定部位における表面の色相のうちの少なくとも何れかを検出する、請求項１に記載の制御装置。
【請求項３】
空調対象エリアを撮像するカメラと、
前記カメラにより撮像された画像から前記空調対象エリアに居るユーザを特定し、前記ユーザの特定の生体反応を検出する生体反応検出手段と、
ユーザ別に前記特定の生体反応の傾向を学習する学習手段と、
検出された前記生体反応と、前記ユーザに対応する前記特定の生体反応の傾向とから前記空調対象エリアの温熱環境に対する前記ユーザの体感を判別する体感判別手段と、
前記ユーザの体感に基づいて前記空調対象エリアの空調を行う空調手段と、を備える、空調機。
【請求項４】
空調対象エリアを撮像するカメラと、
請求項１又は２に記載の制御装置と、を備える、空調システム。
【請求項５】
空調機の空調対象エリアを撮像した画像を取得し、
前記画像から前記空調対象エリアに居るユーザを特定し、前記ユーザの特定の生体反応を検出し、
ユーザ別に前記特定の生体反応の傾向を学習し、
検出された前記生体反応と、前記ユーザに対応する前記特定の生体反応の傾向とから前記空調対象エリアの温熱環境に対する前記ユーザの体感を判別し、
前記ユーザの体感に基づいて前記空調機の動作を制御する、空調制御方法。
【手続補正２】
【補正対象書類名】明細書
【補正対象項目名】０００８
【補正方法】変更
【補正の内容】
【０００８】
上記目的を達成するため、本発明に係る制御装置は、
空調機と通信する通信手段と、
前記空調機の空調対象エリアを撮像した画像を取得する画像取得手段と、
前記画像から前記空調対象エリアに居るユーザを特定し、前記ユーザの特定の生体反応を検出する生体反応検出手段と、
ユーザ別に前記特定の生体反応の傾向を学習する学習手段と、
検出された前記生体反応と、前記ユーザに対応する前記特定の生体反応の傾向とから前記空調対象エリアの温熱環境に対する前記ユーザの体感を判別する体感判別手段と、
前記ユーザの体感に基づいて前記空調機の動作を制御する動作制御手段と、を備える。
【国際調査報告】
2018138804.tif 000016
2018138804.tif 000017